【手続補正書】
【提出日】平成19年4月27日(2007.4.27)
【手続補正１】
【補正対象書類名】明細書
【補正対象項目名】特許請求の範囲
【補正方法】変更
【補正の内容】
【特許請求の範囲】
【請求項１】  式：
【化１】
2004515559.tif 000001
を有する基を付着した粒子を含む修飾粒子。
ここでＡは芳香族基もしくはアルキル基を示し、そして好ましくは芳香族もしくはアルキル基に少くとも１つの官能基を含み；Ｒ1 は結合、アリーレン基、アルキレン基、
【化２】
2004515559.tif 000002
を示し、
ここでＲ4 はアルキルもしくはアルキレン基またはアリールもしくはアリーレン基であり；Ｍは金属もしくは金属含有基を示し；そしてＸは少くとも１つの重合しうるビニルもしくはジエン含有モノマーから生成されたポリマーを示す。
【請求項２】  該粒子が炭素製品、炭素製品以外の着色顔料、金属酸化物、金属水酸化物、もしくはそれらの混合物である請求項１記載の修飾粒子。
【請求項３】  該粒子が黒鉛、ガラス状炭素、活性木炭、炭素繊維、活性炭、もしくはそれらの混合物である請求項１記載の修飾粒子。
【請求項４】  該粒子がカーボンブラックである請求項１記載の修飾粒子。
【請求項５】  該粒子が少くとも１つのケイ素含有種相および少くとも１つの炭素相を含む集合体である請求項１記載の修飾粒子。
【請求項６】  該粒子が少くとも１つの金属含有種相および少くとも１つの炭素相を含む集合体である請求項１記載の修飾粒子。
【請求項７】  該Ｍは、アニオン重合が含まれるときには１もしくは２族金属または金属含有基であり；カチオン重合が含まれるときには１３もしくは１４族金属または金属含有基、そしてチーグラーナッタもしくはメタセシス重合が含まれるときには遷移金属もしくは金属含有基である請求項１記載の修飾粒子。
【請求項８】  ａ）少くとも１つの炭素相および少くとも１つの金属含有種相からなる集合体、少くとも１つの炭素相および少くとも１つのケイ素含有種相からなる集合体、金属酸化物、または金属水酸化物、ならびにｂ）該粒子もしくは集合体に付着して、式：
【化３】
2004515559.tif 000003
を有する基、を含む修飾粒子もしくは集合体。
ここでＣｏｕｐＡはＳｉ含有基、Ｔｉ含有基、Ｃｒ含有基、もしくはＺｒ含有基を示し；Ｍは金属もしくは金属含有基を示し；そしてＸは少くとも１つの重合しうるビニルもしくはジエン含有モノマーから生成されたポリマーを示し；そしてｎは１〜３の整数を示す。
【請求項９】  該Ｍは、アニオン重合が含まれるときには１もしくは２族金属または金属含有基であり；カチオン重合が含まれるときには１３もしｋは１４族金属または金属含有基、そしてチーグラーナッタもしくはメタセシス重合が含まれるときには遷移金属もしくは金属含有基である請求項８記載の修飾粒子もしくは集合体。
【請求項１０】  該粒子もしくは集合体が、炭素相および金属含有種相を含む集合体、または炭素相およびケイ素含有種相を含む集合体である請求項８記載の修飾粒子もしくは集合体。
【請求項１１】  式：
【化４】
2004515559.tif 000004
を有する基を付着した粒子を含む修飾粒子。
ここでＡは芳香族基もしくはアルキル基を示し、そして好ましくは芳香族基もしくはアルキル基に少くとも１つの官能基を含み；Ｒ1 は結合、アリーレン基、アルキレン基、
【化５】
2004515559.tif 000005
を示し、
ここでＲ4 はアルキルもしくはアルキレン基またはアリールもしくはアリーレン基であり；Ｍは金属もしくは金属含有基を示し；Ｘは少くとも１つの重合しうるビニルもしくはジエン含有モノマーから生成されたポリマーを示し；Ｌは中性リガンド基を示し、そしてｘはＭの配位サイトの数を示して少くとも１であり、Ｌはｘが１より大きいとき同一もしくは異なり、そして式中の矢印は、リガンドとともにもしくは無しに、ビニルもしくはジエン含有基上の金属もしくは金属含有基の随伴もしくはキレート化を示す。
【請求項１２】  該粒子が炭素製品、炭素製品以外の着色顔料、金属酸化物、金属水酸化物、もしくはそれらの混合物である請求項１１記載の修飾粒子。
【請求項１３】  該粒子が黒鉛、カーボンブラック、ガラス状炭素、活性木炭、炭素繊維、活性炭、もしくはそれらの混合物である請求項１１記載の修飾粒子。
【請求項１４】  該粒子が少くとも１つのケイ素含有種相および少くとも１つの炭素相を含む集合体である請求項１１記載の修飾粒子。
【請求項１５】  該粒子が少くとも１つの金属含有種相および少くとも１つの炭素相を含む集合体である請求項１１記載の修飾粒子。
【請求項１６】  該粒子カーボンブラックである請求項１１記載の修飾粒子。
【請求項１７】  該Ｍは、アニオン重合が含まれるときには１もしくは２族金属または金属含有基であり；カチオン重合が含まれるときには１３もしくは１４族金属または金属含有基、そしてチーグラーナッタもしくはメタセシス重合が含まれるときには遷移金属もしくは金属含有基である請求項１１記載の修飾粒子。
【請求項１８】  ａ）少くとも１つの炭素相および少くとも１つの金属含有種相からなる集合体、少くとも１つの炭素相および１つのケイ素含有種相からなる集合体、金属酸化物、または金属水酸化物、ならびにｂ）該粒子もしくは集合体に付着して、式：
【化６】
2004515559.tif 000006
を有する基、を含む修飾粒子もしくは集合体。
ここで、ＣｏｕｐＡはＳｉにもとづく基、Ｔｉにもとづく基、Ｃｒにもとづく基、もしくはＺｒにもとづく基を示し；Ｍは金属もしくは金属含有基を示し；Ｘは少くとも１つの１重合しうるビニルもしくはジエン含有モノマーから生成されたポリマーを示し；ｎは１〜３の整数であり；Ｌは中性リガンド基を示し、そしてｘはＭの配位サイトの数を示して少くとも１であり、そしてＬはｘが１より大きいとき同一もしくは異なり、そして式中の矢印は、リガンドとともにもしくは無しに、ビニルもしくはジエン含有基上の金属もしくは金属含有基の随伴もしくはキレート化を示す。
【請求項１９】  該粒子もしくは集合体が少くとも１つの炭素相および少くとも１つの金属含有種相を含む集合体、または少くとも１つの炭素相および少くとも１つのケイ素含有種相を含む集合体である請求項１８記載の修飾粒子もしくは集合体。
【請求項２０】  該Ｍは、アニオン重合が含まれるときには１もしくは２族金属または金属含有基であり；カチオン重合が含まれるときには１３もしくは１４族金属または金属含有基、そしてチーグラーナッタもしくはメタセシス重合が含まれるときには遷移金属もしくは金属含有基である請求項１８記載の修飾粒子もしくは金属集合体。
【請求項２１】  少くとも１つのエラストマー、および請求項１〜２０のいずれかに記載の修飾粒子、ならびに任意にカップリング剤を含むエラストマー組成物。
【請求項２２】  シリカ、カーボンブラック、もしくはそれらの混合物をさらに含む請求項２１記載のエラストマー組成物。
【請求項２３】  シリカ、カーボンブラック、付着した有機基を有する修飾カーボンブラック、修飾シリカ、シリカで少くとも部分的に被覆されたカーボンブラック、少くとも１つの炭素相および少くとも１つのケイ素含有種相を含む集合体、少くとも１つの炭素相および少くとも１つの金属含有種相を含む集合体、またはそれらの組合わせをさらに含む請求項２１記載のエラストマー組成物。
【請求項２４】  請求項２１記載のエラストマー組成物を含むタイヤもしくはそのコンパウンド。
【請求項２５】  請求項２１記載のエラストマー組成物から製造される少くとも１つの成分を含む物品。
【請求項２６】  該物品がタイヤ構成要素、タイミングベルトもしくは動力伝達ベルトである請求項２５記載の物品。
【請求項２７】  ａ）芳香族基もしくはアルキル基を付着して有する粒子を、重合を生じるような温度条件下で任意に溶媒の存在下に、ビニル含有モノマーを有する種を含むオレフィンを付加しうる、共有結合的に、イオン的に、もしくは配位された金属中心を含む基と反応させること、ならびに重合性モノマーと反応させて修飾粒子を生成させることを含む請求項１記載の修飾粒子の製造方法。
【請求項２８】  該粒子がカーボンブラックである請求項２７記載の方法。
【請求項２９】  樹脂粒子および請求項１〜２０のいずれかに記載の修飾粒子を含むトナー組成物。
【請求項３０】  少くとも１つのインキビヒクルおよび請求項１〜２０のいずれかに記載の修飾粒子を含むインキ組成物。
【請求項３１】  少くとも１つのインクジェットインキビヒクルおよび請求項１〜２０のいずれかに記載の修飾粒子を含むインクジェットインキ組成物。
【請求項３２】  少くとも１つの液状ビヒクルおよび請求項１〜２０のいずれかに記載の修飾粒子を含む被覆組成物。